(57)【特許請求の範囲】
【請求項１】
車体に軸支された複数の車輪の少くとも一つを動輪としてその外周に前進時の回転方向とは反対方向に切立ったエッジ部を有する爪歯を多数列設し、この動輪の直上位置の車体にリング状のゴム輪を取付けてこのゴム輪を前記動輪の爪歯のエッジ部に係合自在とし、車体を後方へ移動させることにより動輪の爪歯がゴム輪に係合してゴム輪を巻取り、車体から手を放すことによりゴム輪が放勢されて前進するようにしたことを特徴とする自走玩具。
【請求項２】
前記車体は厚紙により形成され、車体形状に型取りおよび表面に印刷されコ字形に折曲したときオートバイの車体形状となり、その左右両側片間に前記動輪と従輪とを軸止めするようになされている請求項１記載の自走玩具。
【発明の詳細な説明】
【０００１】
【発明の属する技術分野】
本発明は自走玩具に係り、特に出版物の付録として好適な安価にして安全性の高い自走玩具に関する。
【０００２】
【従来の技術】
従来から電池やモータ等の駆動源を用いず、ゴム動力により自走させる玩具は種々提供されている。主としてこの種のゴム動力を用いる玩具では、例えば簡易な飛行機のようにプロペラを手で回してゴム紐を初期チャージし、手を放すことによりゴム動力が放勢されてプロペラが回転し、飛行するようになされるなど、自動車玩具等の走行玩具においても同様な操作を行うものである。
【０００３】
【発明が解決しようとする課題】
しかして従来のこの種簡易な玩具では、一般に車輪等を手で回転させてゴム紐をチャージするものであるため、操作が面倒であるばかりでなく、幼児や低学年の児童では手に負えず、保護者が手を貸さざるを得ないものであった。またチャージ中に車輪から手を放すとゴム動力が放勢されて急激に車輪が回転し、幼児に恐怖心を呼び起こすなどの問題点があった。さらにゴム動力が放勢し終ると直ちに停ってしまい、興趣に欠ける難点があった。
【０００４】
【課題を解決するための手段】
本発明は、幼児であっても車輪に手を放れることなくゴム動力をチャージすることができ、手を放すことにより長距離にわたって自走させることができる自走玩具を提供することを課題とするもので、車体に軸支された複数の車輪の少くとも一つを動輪としてその外周に前進時の回転方向とは反対方向に切立ったエッジ部を有する爪歯を多数列設し、この動輪の直上位置の車体にリング状のゴム輪を取付けてこのゴム輪を前記動輪の爪歯のエッジ部に係合自在とし、車体を後方へ移動させることにより動輪の爪歯がゴム輪に係合してゴム輪を巻取り、車体から手を放すことによりゴム輪が放勢されて前進するようにしたことにある。
【０００５】
前記車体を厚紙で構成し、車体形状に型取りおよび表面に印刷されコ字形に折曲したときオートバイの車体形状となるようにし、その左右両側片間に車輪を軸支して組立てるようにすれば、出版物の付録として好適となる。
【０００６】
【発明の実施の形態】
以下、本発明を図面に示す実施の形態を参照して説明する。
【０００７】
図１は、本発明による自走玩具をボール紙等のシートにより各パーツを形取りして雑誌類の付録用とした場合のもので、これらを組立ててオートバイ形態とした一実施形態の斜視図を示しており、車体１に軸２，３により取付けられた前輪４および後輪５のうち後輪５を動輪として自走するようになされている。
【０００８】
すなわち後輪５は、その外周に前進時の回転方向イとは反対方向に切立ったエッジ部６を有する爪歯７が多数列設され、この後輪５の直上位置の車体１にリング状のゴム紐からなるゴム輪８が取付けられ、このゴム輪８は後輪５の後部上方に垂れ下がっておかれている。したがって車体１を後方へ移動させて後輪５を矢印ロ方向へ回転させることにより図２（Ａ），（Ｂ）のようにゴム輪８が後輪５の爪歯７のエッジ部６に引掛ってゴム輪８を後輪５の軸３に巻付け、車体１から手を放せば図２（Ｃ）のようにゴム輪８の収縮により後輪５が矢印イ方向に回転して前輪４と後輪５とで自走するようになっている。
【０００９】
雑誌の付録とする場合には、図３〜図１１に示すようにボール紙に各パーツの形状および形態を印刷し、その輪郭にミシン目等の切取線を施し、かつ組付部分には差込み爪を要所に設けるとともに、この差込み爪が差込まれる部分に切孔を設けるようにして、各パーツを切取って自分で組立てるように構成される。
【００１０】
ちなみに図３は車体１のパーツであり、線ａ−ａ、ｂ−ｂで直角に折り曲げてコ字状になるようになされており、折り曲げられる両側片１ａ，１ａにはライダー９の脚やオートバイとしての機器類が印刷されている。
【００１１】
図４は前輪４のパーツであり、車輪形状の円板４ａ，４ａにこの円板４ａ，４ａの円周長さに略等しいタイヤ片４ｂが一部連なって形成されており、円板４ａ，４ａの差込み爪４ｃ，４ｃをタイヤ片４ｂの切孔４ｄ，４ｄに差込むとともにタイヤ片４ｂの端部の差込み爪４ｅをその反対端の切孔４ｆに差込むことによりドラム状に形成される。
【００１２】
図５（Ａ）〜（Ｃ）は後輪５のパーツで、外周に前述のように爪歯７が形成された２枚の鋸歯状の円板５ａ，５ａと、これら円板５ａ，５ａの間に接着されるウレタンフォーム等からなる円板状の芯材５ｂとからなり、円板５ａ，５ａ間に芯材５ｂを介在接着することにより後輪５が形成される。
【００１３】
図６はライダー９の上半身部分で、線Ｃ，Ｃで直角に折り曲げ、下端の差込み爪９ａ，９ａを前記車体１の切孔１ｂ，１ｂに差込むことにより取付けられ、車体１の両側片１ａ，１ａに印刷された脚と連なってライダーが車体１に跨っている形態となる。
【００１４】
図７はハンドル部１０のパーツで、車体１の上面部１ｃに差込み爪１０ａ，１０ａにより取付けられ、ライダー９の手部分９ｂ，９ｂにハンドル部１０のグリップ部分１０ｂ，１０ｂを差込んでライダー９がハンドルを握っている形態とされる。
【００１５】
図８はカウル１１のパーツで、車体１の上面部１ｃに差込み爪１１ａ，１１ａにより取付けられ、このカウル１１には図９の風防ガラス１２のパーツが差込み爪１２ａ，１２ａにより取付けられる。図１０（Ａ），（Ｂ）はラジエータ部分１３のパーツ、図１１は車体１の底部用の補強部品１４のパーツを示し、各差込み爪１３ａ，１４ａにより車体１に図１ように取付けられる。
【００１６】
図１２は軸２，３を示し、車体１の両側片１ａ，１ａ間に前輪４、後輪５を軸止めするもので、両端に抜止めキャップ１５，１５を圧嵌めして取付けるようになっている。
【００１７】
図１３（Ａ），（Ｂ）は、上記各パーツを抜き取った抜き跡を示すもので、その抜き跡には前記各パーツと対応する符号を付してある。なお後輪５は他のパーツより厚手とすることが爪歯７の保型上望ましいので、図１３（Ｂ）のように厚いボール紙として別ピースとされている。
【００１８】
上記各パーツを用いて組立てた状態が図１であり、前記のように車体１を後方へ移動させて後輪５を矢印ロ方向へ回転させることにより図２（Ａ），（Ｂ）のようにゴム輪８が後輪５の一つの爪歯７のエッジ部６に引掛ってゴム輪８が後輪５の軸３に巻付けられ、車体１から手を放せば図２（Ｃ）のようにゴム輪８の収縮により後輪５が矢印イ方向に回転して前輪４と後輪５とで長い距離にわたって自走する。
【００１９】
特にゴム輪８は最初は爪歯７によって巻かれるが、以後は細い軸３に巻付くので、短いゴム輪８であっても巻付き回数が多く、それだけ長距離にわたって自走させることができる。
【００２０】
また走行時に、ゴム輪８の放勢が終了するとゴム輪８は後輪５やその軸３とは切離されてフリーとなるので、放勢がなくなったのちも車輪の慣性によって走り続け、これによっても長距離にわたる走行が可能となり、加えて図示の実施形態のように各パーツを紙製とすれば重量が軽く、一層長距離走行が可能となる。
【００２１】
なお上記実施形態は雑誌等出版物の付録用とした場合を示したが、車体１や前、後輪４，５を簡単なプラスチック成形品として玩具としての商品とすることもできる。また二輪車に限らず、三輪、四輪の車両であっても実施することができる。
【００２２】
【発明の効果】
以上説明したように本発明によれば、動輪の外周に前進時の回転方向とは反対方向に切立ったエッジ部を有する爪歯を多数列設し、この動輪の直上位置の車体にリング状のゴム輪を取付けてこのゴム輪を前記動輪の爪歯のエッジ部に係合自在とし、車体を後方へ移動させることにより動輪の爪歯がゴム輪に係合してゴム輪を巻取り、車体から手を放すことによりゴム輪が放勢されて前進するようにしたので、簡単な構造により車輪を手で回すことなく長距離にわたり自走する自走式の玩具とすることができ、幼児に与えても安全かつ確実に操作することができる。
【００２３】
また請求項２のようにすれば、雑誌等の付録として本の間に挟んで販売することができ、購入後簡単に組立てて遊ぶことができる。
【図面の簡単な説明】
【図１】本発明の一実施形態を示す斜視図。
【図２】（Ａ）〜（Ｃ）は同作動状態の説明図。
【図３】本発明を書籍の付録用とした場合の車体のパーツを示す平面図。
【図４】同、前輪のパーツを示す平面図。
【図５】（Ａ）〜（Ｃ）は同後輪のパーツを示す平面図。
【図６】同ライダーのパーツを示す平面図。
【図７】同ハンドル部のパーツを示す平面図。
【図８】同カウルのパーツを示す平面図。
【図９】同風防ガラスのパーツを示す平面図。
【図１０】同ラジエータのパーツを示す平面図。
【図１１】同補強部材のパーツを示す平面図。
【図１２】同、車軸を示す平面図。
【図１３】（Ａ），（Ｂ）は各パーツの抜き跡を示す平面図。
【符号の説明】
１  車体
１ａ  側片
１ｃ  上面
２，３  軸
４  前輪
５  後輪
６  エッジ部
７  爪
８  ゴム輪
９  ライダー
１０  ハンドル部
１１  カウル
１２  風防ガラス
１３  ラジエータ
【図１】
0003717594.tif 000002
【図２】
0003717594.tif 000003
【図３】
0003717594.tif 000004
【図４】
0003717594.tif 000005
【図５】
0003717594.tif 000006
【図６】
0003717594.tif 000007
【図７】
0003717594.tif 000008
【図８】
0003717594.tif 000009
【図９】
0003717594.tif 000010
【図１０】
0003717594.tif 000011
【図１１】
0003717594.tif 000012
【図１２】
0003717594.tif 000013
【図１３】
0003717594.tif 000014